(57)【要約】【課題】営巣材の廃棄作業を低コストで迅速に行うことができる営巣材の収納作業具を提供する。【課題手段】収納作業具１０は、営巣材を収納可能でありかつ廃棄可能な箱体１１に巻き掛けて装着される巻掛部材１５と、この巻掛部材１５に連結され、当該巻掛部材１５が装着された箱体１１を支持するための支持部材１６，１７と、を備える。箱体１１は、段ボール箱を使用することができる。巻掛部材１５は、可撓性を有しかつ長さ調整可能なベルト２１，２２を含んでいてもよい。【選択図】      図１
2013128437.tif 000002
【特許請求の範囲】
【請求項１】
営巣材を収納可能でありかつ廃棄可能な箱体に巻き掛けて装着される巻掛部材と、この巻掛部材に連結され、かつ当該巻掛部材が装着された前記箱体を支持するための支持部材と、を備えていることを特徴とする営巣材の収納作業具。
【請求項２】
前記箱体が、段ボール箱である請求項１に記載の営巣材の収納作業具。
【請求項３】
前記巻掛部材が、可撓性を有しかつ長さ調整可能なベルトを含む請求項１又は２に記載の営巣材の収納作業具。
【請求項４】
前記支持部材は、手持ちによる支持が可能な支持棒を含む請求項１〜３のいずれか１項に記載の営巣材の収納作業具。
【請求項５】
前記支持部材は、吊り下げによる支持が可能な吊り下げ具を含む請求項１〜４のいずれか１項に記載の営巣材の収納作業具。
【発明の詳細な説明】
【技術分野】
【０００１】
本発明は、送電線の鉄塔や電柱等から除去した鳥の巣（営巣材）を収納するために使用される収納作業具に関する。
【背景技術】
【０００２】
鉄塔や電柱等の高所にはカラス等の鳥によって巣が作られる場合がある。このような巣は、木の枝だけでなくハンガー等の針金を材料として作られることがあるため、電柱等に放置しておくと短絡等の送電事故を引き起こす可能性がある。そのため、定期的に鳥の巣を除去する作業が行われている。この作業は、例えば、作業員が鉄塔や電柱に登り、巣の下側に作業網（収納作業具）を配備した状態で巣を落下させ、作業網によって受け止める、という作業である。
【０００３】
下記特許文献１には、落下させた巣を受け止めるための営巣材収納作業網が開示されている。この作業網は、支持棒の先端に環状の網枠を取り付け、この網枠に外網を装着し、この外網の内部に内袋を収納することによって構成されている。外網は略椀形状に形成され、内袋も外網と同様の形状とされている。この内袋は、直接営巣材を収納してそのまま廃棄することができるものであり、枝等が飛び出すことがないように破れにくい材料（例えば、ナイロン）で作製することが推奨されている。
【先行技術文献】
【特許文献】
【０００４】
【特許文献１】特開２０１１−１８２７３４号公報
【発明の概要】
【発明が解決しようとする課題】
【０００５】
特許文献１に記載の収納作業網は、外網の内側に装着した内袋に営巣材を収納し、その後、外網から取り外した内袋ごと営巣材を廃棄することができる。そのため、除去した巣を別の廃棄用の袋等に移し替える作業が不要となり、廃棄作業を迅速に行うことができるとともに、移し替えに伴うゴミの散乱等も防止することができるという利点がある。
【０００６】
しかしながら、特許文献１の内袋は、外網の形状に合わせて作製される専用品であり、破れにくくするためにある程度の強度が必要となるので、コストが高くなるという欠点がある。また、巣の大きさに合わせて外網や内袋の大きさを変えることができないので、大きな巣を収容できない場合や、小さな巣を必要以上に大きな内袋に収納しなければならない場合が生じる。
【０００７】
本発明は、このような実情に鑑みてなされたものであり、営巣材の廃棄作業を低コストで迅速に行うことができる営巣材の収納作業具を提供することを目的とする。
【課題を解決するための手段】
【０００８】
本発明の収納作業具は、営巣材を収納可能でありかつ廃棄可能な箱体に巻き掛けて装着される巻掛部材と、この巻掛部材に連結され、かつ当該巻掛部材を装着した箱体を支持するための支持部材と、を備えていることを特徴とする。
【０００９】
本発明の収納作業具によれば、巻掛部材を装着した箱体を支持部材を介して支持し、鉄塔等から除去した営巣材を箱体で受け止めて収納することができる。そして、巻掛部材を箱体から取り外すことで、収納した営巣材を箱体ごと廃棄することができる。したがって、営巣材の廃棄作業を迅速に行うことができる。また、営巣材を収容するために汎用の箱体を用いることができるので、従来のように専用の袋を用いる場合に比べて安価に強度の高い収納作業具を形成することができる。
【００１０】
上記構成において、前記箱体は段ボール箱であってもよい。
一般に、段ボール箱は、各種器材等の包装のために用いられ、使用後は廃棄されることが多い。また、段ボール箱は、自身の形状を保持することができるとともに、営巣材の材料となる木の枝等が突き刺さっても破れにくい。したがって、段ボール箱を利用することによって、より安価で強度の高い収納作業具を形成することができる。
【００１１】
前記巻掛部材は、可撓性を有しかつ長さ調整可能なベルトを含むことが好ましい。
このような構成によって、様々な大きさの箱体にベルトを巻き掛けて装着することが可能となる。そのため、営巣材の大きさに合わせ、適切な大きさの箱体を用いて収納作業具を形成することができる。
【００１２】
前記支持部材は、手持ちによる支持が可能な支持棒を含んでいてもよい。
このような構成によって、支持棒を手に持って箱体を支持しながら、鉄塔等から落下させた営巣材を受け止めることができる。
【００１３】
また、前記支持部材は、吊り下げによる支持が可能な吊り下げ具を含んでいてもよい。
このような構成によって、箱体を吊り下げた状態で支持しながら、鉄塔等から落下させた営巣材を受け止めて収納することができる。また、吊り下げ具にロープ等を掛けることによって、高所から地面へ収納作業具を吊り下げた状態で降下させることができる。
【発明の効果】
【００１４】
本発明の収納作業具によれば、営巣材の廃棄作業を低コストで迅速に行うことができる。
【図面の簡単な説明】
【００１５】
【図１】本発明の一実施形態に係る営巣材の収納作業具を示す斜視図である。
【図２】箱体から取り外した収納作業具の斜視図である。
【図３】収納作業具の一部の断面図である。
【図４】共用操作棒及び連結受具の側面図である。
【図５】共用操作棒及び連結受具の平面図である。
【図６】収納作業具を用いた営巣材の除去作業を示す説明図である。
【発明を実施するための形態】
【００１６】
図１は、本発明の一実施形態に係る営巣材の収納作業具の斜視図、図２は、箱体から取り外した収納作業具の斜視図である。
本実施形態の営巣材の収納作業具１０は、鉄塔や電柱等の高所から除去した鳥の巣（営巣材）を収納するために使用される。具体的に、収納作業具１０は、営巣材を直接的に収納する箱体１１に装着することによって使用可能となるものである。
【００１７】
本実施形態の収納作業具１０が装着される箱体１１は、立方体又は直方体形状であり、上面が開放されている。この箱体１１としては、段ボール箱を好適に使用することができる。段ボール箱１１は、例えば包装用として用いられた後に不要となったものを再利用することができる。段ボール箱１１は、上壁を構成する前後の蓋板１１ａ１，１１ａ２と、左右の蓋板１１ａ３，１１ａ４とを外側に折り曲げて開くことによって上面が開放される。
【００１８】
収納作業具１０は、箱体１１に巻き掛けて装着される巻掛部材１５と、この巻掛部材１５に連結された支持棒１６と、巻掛部材１５に連結された吊り下げ具１７とを備えている。
巻掛部材１５は、ベルト２１，２２と、連結部材２３，２４とから構成されている。ベルト２１，２２は、段ボール箱１１の外周部に巻き掛けられる外周ベルト２１と、段ボール箱１１の底部に巻き掛けられる底ベルト２２とからなる。いずれのベルト２１，２２も、布製、革製、合成樹脂製、又はゴム製等からなり、可撓性を有している。
【００１９】
連結部材２３，２４は、段ボール箱１１の前壁１１ｂ及び後壁１１ｃに対応して２つ設けられており、いずれも正面視で略Ｔ字形状に形成されている。そして、連結部材２３，２４のうち左右方向に長い横辺部２３ａ，２４ａに対して外周ベルト２１が連結され、上下方向に長い縦辺部２３ｂ，２４ｂに対して底ベルト２２が連結されている。
【００２０】
本実施形態においては、外周ベルト２１の一端部が、前側の連結部材２３の横辺部２３ａの一端部に固定され、外周ベルト２１の他端部側が、前側の連結部材２３の横辺部２３ａの他端部に長さ調整部２５を介して連結されている。また、外周ベルト２１の中途部は、後側の連結部材２４における横辺部２４ａの一端部及び他端部に形成された通し孔２４ａ１に通されることで当該横辺部２４ａに連結されている。
【００２１】
また、底ベルト２２の一端（後端）は、後側の連結部材２４における縦辺部２４ｂの下端部に固定され、底ベルト２２の他端（前端）は、前側の連結部材２３における縦辺部２３ｂの下端部に長さ調整部２６を介して連結されている。長さ調整部２５，２６は、横辺部２３ａ及び縦辺部２３ｂの端部に、バックルなどに用いられる従来公知の構成を採用することができる。また、長さ調整部２５，２６は、外周ベルト２１及び底ベルト２２の途中に設けられていても良い。
【００２２】
後側の連結部材２４の後面には、支持棒１６が連結されている。本実施形態では、支持棒１６として、電線等に対する間接活線作業に使用される各種工具を着脱自在に取り付ける共用操作棒が用いられ、この各種工具の代わりに収納作業具１０の巻掛部材１５が取り付けられる。この共用操作棒１６は、従来公知のものを使用することができ、例えば、図４及び図５に示されるように、円筒状の連結軸３１と、この連結軸３１の外周２箇所に設けられた係止用突起３２と、連結軸３１の先端面から突出し、かつ突出方向に付勢された押圧部材３３と、連結軸３１の基部側に形成された雄ねじ部３４と、この雄ねじ部３４に螺合されたストッパリング３５とを備えている。
【００２３】
これに対して、後側の連結部材２４には、共用操作棒１６の先端部に着脱自在に連結される連結受具３６が設けられている。この連結受具３６は、連結部材２４から後方へ延びる取付体３７と、共用操作棒の連結軸３１に嵌合し、係止用突起３２を係止させる係止溝３８が形成された連結筒３９と、取付体３７と連結筒３９とを角度調整可能に連結する回動連結機構４０と、を備えている。係止溝３８は、連結筒３９の開口端部から回動連結機構４０側へ軸方向に延びる導入部３８ａ、導入部３８ａの終端から周方向に延びる中間部３８ｂ、及び中間部３８ｂの終端から回動連結機構４０とは反対側へ軸方向に凹む終端部３８ｃとからなっている。そして、連結筒３９に連結軸３１を嵌合させつつ、係止溝３８の導入部３８ａから導入した係止用突起３２を終端部３８ｃに係合させ、ストッパリング３５を締め付けることによって連結受具３６に共用操作棒１６を連結することができる。
【００２４】
回動連結機構４０は、取付体３７と連結筒３９とに設けられた一対の菊座４１と、一対の菊座４１を噛み合わせた状態で固定する固定ねじ４２及び操作ナット４３とを備え、一対の菊座４１を所定の回動角度で噛み合わせて固定ねじ４２と操作ナット４３とを締結することで、連結筒３９と取付体３７とを固定することが可能となっている。
【００２５】
図３は、収納作業具の一部の断面図である。図１〜図３に示されるように、後側の連結部材２４の上端部には、段ボール箱１１の後壁１１ｃの上部に係止するクリップ具４５が設けられている。このクリップ具４５を段ボール箱１１の後壁１１ｃに係止することによって、段ボール箱１１から巻掛部材１５が離脱してしまうのを防止することができる。
【００２６】
また、図１及び図２に示されるように、前側の連結部材２３の上端部には、段ボール箱１１の前壁１１ｂの上部に係止するクリップ具４６が設けられている。このクリップ具４６を段ボール箱１１の前壁１１ｂに係止することによっても、段ボール箱１１から巻掛け部材１５が離脱してしまうのを防止することができる。
また、前後のクリップ具４６，４５を段ボール箱１１の前後壁１１ｂ，１１ｃに係止することによって、長さ調整部２６により底ベルト２２を締めたときに、前後の連結部材２３，２４が下方へ引き下げられるのを防止することができ、前後の連結部材２３，２４を段ボール箱１１に対する適正な位置に保持することができる。
【００２７】
なお、本実施形態では、クリップ具４６，４５が前後の連結部材２３，２４に一体形成されているが、当該連結部材２３，２４とは別体として設けられていてもよい。この場合、段ボール箱１１の前後壁１１ｂ，１１ｃに限らず、段ボール箱１１の左右壁１１ｄ，１１ｅにクリップ具を係止することもできる。
【００２８】
前後両方の連結部材２３，２４の上端部には、吊り下げ具１７が設けられている。この吊り下げ具１７は、ロープやフック等を引っ掛けることで収納作業具１０を吊り下げた状態で支持するために用いられる。本実施形態の吊り下げ具１７は、環状に形成されるとともに、上向きの姿勢と下向きの姿勢とに姿勢変更可能に構成されている。この吊り下げ具１７は、不使用時に下向きとすることによって段ボール箱１１に営巣材を収納する際に邪魔にならず、使用時に上向きとすることによってロープ等を連結し易くすることができる。
【００２９】
以上の構成を有する本実施形態の収納作業具１０は、不使用となった段ボール箱１１の上面を開放し、前側の連結部材２３を段ボール箱１１の前壁１１ｂに沿わせ、後側の連結部材２４を段ボール箱１１の後壁１１ｃに沿わせた状態とする。このとき、前後の連結部材２３，２４に設けられたクリップ具４６，４５を段ボール箱１１の前後壁１１ｂ、１１ｃに係止させる。そして、段ボール箱１１の外周部に外周ベルト２１を巻き掛けると共に、段ボール箱１１の底面に底ベルト２２を巻き掛ける。そして、長さ調整部２５，２６によって、外周ベルト２１及び底ベルト２２が段ボール箱１１に密着するように各ベルト２１，２２の長さを調整する。その後、収納作業具１０の連結受具３６に共用操作棒１６の先端を連結することによって、収納作業具１０が使用可能な状態とすることができる。
【００３０】
このような収納作業具１０に営巣材を収納するには、例えば、図６に示されるように、鉄塔５１等に作られた鳥Ａの巣の下方に収納作業具１０を位置づけ、ヤットコ等の別の道具５０を用いて巣を落下させ、収納作業具１０の段ボール箱１１によって巣Ａを受け止め、収納する。その後、巣Ａを収納した収納作業具１０を地上に降ろし、段ボール箱１１から巻掛部材１５を取り外し、段ボール箱１１ごと巣Ａを廃棄する。
【００３１】
したがって、鉄塔５１等から除去して段ボール箱１１に収納した巣Ａを別の廃棄用の袋等に移し替える必要がないので、この移し替えに伴ってゴミが散乱するというような不都合が生じることもなく、迅速に巣Ａを廃棄することができる。
また、段ボール箱１４は、自身の形状を保持することができる程度の強度を有しているので、巣Ａを受け止める際や、巣Ａを収納した状態で運搬する際に、形状が崩れてしまうことはほとんど無い。また、巣Ａの材料である木の枝や針金によって段ボール箱１１が破れてしまうこともほとんどない。
【００３２】
段ボール箱１４は、包装材として使用済みのものを利用することができるので、非常に安価に収納作業具１０を構成することができる。
そして、巻掛部材１５のベルト２１，２２は、長さ調整部２５，２６によって長さ調整可能であるので、様々な大きさの段ボール箱１１に巻掛部材１５を装着することができる。したがって、除去しようとする巣Ａの大きさに合わせて適切な大きさの段ボール箱１１を選択することができる。
【００３３】
なお、鉄塔５１等から落下させた巣Ａを段ボール箱１１によって受け止めて収納する作業は、共用操作棒１６を手に持った状態で行うに限らず、吊り下げ具１７を用いて段ボール箱１１を巣Ａの下方に吊り下げた状態で行ってもよい。また、鉄塔５１等の高所から地上へ収納作業具１０を降ろす作業は、吊り下げ具１７にロープを連結し、段ボール箱１１を吊り下げた状態で地上へ降ろしてもよい。
【００３４】
図１に示される例では、段ボール箱１１の上壁を構成する前後蓋板１１ａ１，１１ａ２の外側、及び左右蓋板１１ａ３，１１ａ４の内側を通して外周ベルト２１を巻き掛けているが、左右蓋板１１ａ３，１１ａ４の外側を通して外周ベルト２１を巻き掛けてもよい。しかし、左右蓋板１１ａ３，１１ａ４の内側を通して外周ベルト２１を巻掛けると、巣を段ボール箱１１内に収納した後に、蓋板１１ａ３，１１ａ４を閉じて簡易的に上壁を形成することが可能となり、巣の飛び出しを防止することができる。
【００３５】
なお、本実施形態では、前側の連結部材２３にクリップ具４６が設けられ、後側の連結部材２４に連結受具３６やクリップ具４５が設けられているので、前後の蓋板１１ａ１，１１ａ２の内側を通して外周ベルト２１を巻き掛けることができない構造になっているが、当該連結部材２３，２４にクリップ具４６，４５が設けられていない場合や、蓋板１１ａ２を避けた位置に連結受具３６が設けられている場合には、前後の蓋板１１ａ１，１１ａ２の内側を通して外周ベルト２１を巻き掛けても良い。
【００３６】
本発明は、上記各実施の形態に限定されるものではなく、特許請求の範囲に記載された発明の範囲内において、適宜変更することが可能である。
例えば、上記実施形態では、箱体１１として段ボール箱を使用しているが、営巣材を収納可能であり、かつ廃棄可能な箱体であれば、段ボール箱に限定されない。しかしながら、段ボール箱１１は、包装材として広く流通し、手に入りやすいことや、容易に焼却できること、巣を収納しても変形し難いことなどから、箱体１１として段ボール箱を利用することがより望ましい。
【００３７】
上記実施形態では、巻掛部材１５の底ベルト２２が段ボール箱１１の前後に渡って巻き掛けられているが、前後左右に十字状に巻き掛けられていてもよい。この場合、外周ベルト２１の左右両側にも連結部材を設けることができる。また、外周ベルト２１と底ベルト２２とは連結部材２３，２４を介さずに直接的に連結されていてもよい。
【符号の説明】
【００３８】
１０  収納作業具
１１  箱体（段ボール箱）
１５  巻掛部材
１６  共用操作棒（支持棒）
１７  吊り下げ具
２１  外周ベルト
２２  底ベルト
２５  長さ調整部
２６  長さ調整部
【図１】
2013128437.tif 000003
【図２】
2013128437.tif 000004
【図３】
2013128437.tif 000005
【図４】
2013128437.tif 000006
【図５】
2013128437.tif 000007
【図６】
2013128437.tif 000008